【事件の表示】
　特願２００３−５５５４８８「電子デバイスのユーザに静的な状態を伝達することによる触覚フィードバックを用いる方法」拒絶査定不服審判事件〔平成１５年　７月　３日国際公開、ＷＯ０３／５４８４９、平成１７年　５月１９日国内公表、特表２００５−５１４６８１〕について、次のとおり審決する。
【結　論】
　本件審判の請求は、成り立たない。
【理　由】
第１　手続の経緯
　本願は、平成１４年１０月２３日（パリ条約による優先権主張　２００１年１０月２３日、米国）を国際出願日とする出願であって、平成２０年１月２２日付けで拒絶査定がされ、これに対して同年４月１８日に拒絶査定不服審判が請求がされるとともに、同日付けで手続補正がなされたものである。
　
第２　平成２０年４月１８日付けの手続補正についての補正却下の決定
［補正却下の結論］
  平成２０年４月１８日付けの手続補正（以下、「本件補正」という。）を却下する。
　
［理由］
１．本願補正発明
　本件補正により、特許請求の範囲の請求項１は、
「ユーザ接触領域を備えるハウジング、
　前記ユーザ接触領域に取り付けられる触覚部材、および
　前記触覚部材に取り付けられ、前記触覚部材に集中された静的な触覚感を出力可能なアクチュエータを具備し、
　前記アクチュエータが触覚感を高めるように構成された付加質量を有することを特徴とする電子デバイス。」
と補正された。
　上記補正は、請求項１に記載した発明を特定するために必要な事項である「アクチュエータ」について、「前記アクチュエータが触覚感を高めるように構成された付加質量を有する」とする限定を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
２．引用例
　原査定の拒絶の理由で引用された、本願の優先日前に頒布された刊行物である特開平９−９０８６７号公報（平成９年４月４日公開。以下、「引用例」という。）には、図面とともに以下の事項が記載されている。（下線は当審にて付与。）
　
（１）　「【特許請求の範囲】
【請求項１】  対象物の触覚情報を人に伝達する触覚呈示装置において、
対象物の表面情報を時系列信号に変換する信号処理手段と、
前記時系列信号を受けて所定の制御信号を発生する制御信号発生手段と、
この制御信号発生手段から出力された信号に基づいて駆動され、人の皮膚表面に対して
水平方向に機械的刺激を呈示する触覚刺激手段
を具備したことを特徴とする触覚呈示装置。
【請求項２】  前記触覚刺激手段が、さらに
人の皮膚表面に対して垂直方向に機械的刺激を呈示する
　
（２）　「【０００１】
【発明の属する技術分野】本発明は触覚呈示装置に関し、特に、
人が対象物に手指で触れたときに感じる対象物表面の凹凸などの触覚情報を実際に手指で触れることなく遠隔的または仮想現実的に伝達するための触覚呈示装置に関する
【０００２】
【従来の技術】
人は対象物を認知、判断する場合に、その対象物に直接手指で触れることによって対象物表面の滑らかさや凹凸感を感じる
直接手指で触れることのできない遠方の物体や微小対象物、画像表示されている物体などは、視覚的に対象物を認識できても、その材質感までは直感的に感じることは難しい。
【０００３】
このような触覚情報を人に伝達するための従来の触覚呈示装置として、例えば「模擬触覚呈示装置」（特開平６−１９３８５号）がある。これは、図１６に示すように、操作者が支持面５６に沿って滑動させることのできる保持体５１の表面に呈示子５２ａを露呈させ、保持体５１の滑動に対応して対象物体の表面に触れたときに感じる触覚の時空間パターンに相当する信号を触覚呈示器５２に与え、呈示子５２ａにより模擬的に触覚刺激を呈示するものである。図１６において、５３は滑動検出器、５４は模擬触覚信号発生装置、５５はソレノイド、５７は可動鉄心、５８は支点、５９はてこ、６０は小孔、６１はロータリエンコーダ、６２は球、６３はピン、６４は長孔である。
【０００４】また、図１７は振動形触覚ディスプレイを示す図で、２５０Ｈｚの周波数で振動する振動ピン６９（直径０．５ｍｍ）を５×１０本並べて二次元の振動面を構成し、その振動面に皮膚表面を触れ合わせて固定した状態で実際のなぞり運動のようにマウスを動かして、指（が載った触覚ディスプレイ７０）の移動情報や表示しようとする仮想物体６６の表面の情報をもとに振動面を制御している（信学技報、ＨＣ９４−５，ｐｐ２９−３４，１９９４  振動形触覚ディスプレイに関する研究：池井寧ら参照）。図１７において、６５はＣＧ表示装置、６７は触覚ディスプレイ７０の移動量に対応したＣＧによる指、６８はキーボードである。
【０００５】
【発明が解決しようとする課題】人が対象物の触覚情報を探るときに、得ようとする情報によって異なる触動作を行うことが知られている。ここで、触動作とは、つかむ動作、なぞり動作、押し込み動作など、対象物に対して人が自ら触ろうとする動作全般を指すものである。例えば、表面情報を知りたいときに、一般に人は手指で表面をなぞる動作を行う。これは、人が触覚を点情報としてではなく面情報として認識し、なぞり動作に伴う水平方向への皮膚の変位から引っ張られている感覚の”ずれ覚”が生じ、表面の凹凸に起因する皮膚変位の時間変化を相対的に比較することで表面状態を判断しているためである。
【０００６】しかしながら、上述した従来の装置においては、人の触知覚の過程を十分に考慮していないために直接手指で触れたときの表面状態を伝達することは考慮されていない。例えば、
図１６の従来例では、人が保持体５１を動かし、その滑動に対応した信号を皮膚の一定の場所に時間的に振幅を変化させて呈示するために
【０００７】また、図１７の従来例は基本的には図１６の従来例と同じであり、振動ピン６９がマトリクス状に配置されたものである。この装置は、振動ピン６９の振動周波数は一定で振動をオン・オフすることにより面制御を行うために、例えば手指の動きに対して相対的に得られる凹凸の違いが非常に単一的であって限られた範囲での粗さ感覚しか表現できない。さらに、振動ピン６９が振動していなくても、振動ピン６９の存在自体は知覚されてしまうので、表面がつるつるした対象物の表現は基本的に困難である。
【０００８】本発明はこのような課題に着目してなされたものであり、その目的とするところは、人の触覚における表面情報の知覚過程でのなぞり動作を考慮して、表面の凹凸などの触覚情報を、空間的なパタ―ンからなぞり動作に対応させた時系列パターンへと変換し、なぞり感を伴った粗滑感や凹凸感として伝達して臨場感のある触覚呈示を可能とする触覚呈示装置を提供することにある。
【０００９】
【課題を解決するための手段】上記の目的を達成するために、本発明は、対象物の触覚情報を人に伝達する触覚呈示装置において、対象物の表面情報を時系列信号に変換する信号処理手段と、前記時系列信号を受けて所定の制御信号を発生する制御信号発生手段と、この制御信号発生手段から出力された信号に基づいて駆動され、人の皮膚表面に対して水平方向に機械的刺激を呈示する触覚刺激手段とを具備する。
【００１０】すなわち、本発明においては、対象物の触覚情報を人に伝達する触覚呈示装置において、対象物の表面情報を時系列信号に変換し、この時系列信号を受けて所定の制御信号を発生する。そして、この制御信号に基づいて、人の皮膚表面に対して水平方向に機械的刺激を呈示するようにする。」
　
（３）　「【００１１】
【発明の実施の形態】以下、本発明の第一実施形態に係る触覚呈示装置について、図１を参照して説明する。
まず、第一実施形態について説明する。
前記制御信号発生回路４の出力を受けて機械的刺激を人の指先に伝達する触覚刺激素子５
　
　・・・（中略）・・・
　
【００１６】そして、触覚刺激素子５には、刺激伝達回路２０としてボイスコイル５ａが適用されているとともに、知覚強度に影響を与えないように研磨された
接触子２１がこのボイスコイル５ａに機械的に接続されている
なお、刺激伝達回路２０は、ボイスコイル５ａに限定されることなく、例えば他に、圧電素子や電気粘弾性アクチュエータ、磁気粘弾性アクチュエータ、電磁ソレノイド、磁歪素子、ケモニカルゲルなどであっても良い。
　
（４）　「【００２５】
以下に第１実施形態の変形例を説明する
【００２６】また、
第二の変形例として図５に示すように
その表面情報が手指に伝達されるため
【００２７】また、
第三の変形例として図６に示すように、表面情報検出回路１を複数配置し、それに対応するように複数の触覚刺激素子５を刺激呈示部分に配置してもよい。
　
（５）　「【００２８】
次に、本発明の第二実施形態に係る触覚呈示装置について、図７、図８を参照して説明する。
【００２９】図７に示すように、本実施形態の触覚呈示装置は、仮想空間内の対象物に係るものである。仮想表面情報作成回路２２は、仮想空間内の対象物の座標Ｘ１，Ｘ２における表面情報Ｐを作成し、そのときの知覚強度Ｓopt を出力する。前記仮想表面情報作成回路２２によって作成された仮想対象物は視覚表示回路２８に入力されて視覚的な信号に変換して表示される。仮想表面走査回路２３は人が仮想対象物表面を走査して得られる出力Ｄx1，Ｄx2を出力し、なぞり信号生成回路４１はなぞり動作信号Ｖx を生成して出力する。
　
　・・・（中略）・・・
　
【００４３】本実施形態では、第一実施形態で示した人の触知覚特性を利用することで、多次元の刺激を一次元の水平振動刺激で表現できる。すなわち、本実施形態によれば、なぞり動作を伴った凹凸感の伝達を一方向の機械的刺激呈示だけで伝達することが可能となる。従って、実際に手指が対象物表面をなぞっている感覚を伴うので、臨場感ある凹凸感表現を行うことができる。また、対象物に関する心理物理的な知識から、触覚呈示に関する視覚情報、触覚情報の刺激を作成できるために、これから作る新製品などの設計システムや人口現実感などのＣＧを用いたシステムに利用することができる。
この実施例の具体的な構成の一例としては
仮想表面走査回路２３がマウスやジョイスティック、仮想制御信号発生回路２６が波形合成器、触覚刺激素子５にはボイスコイルを使用することが考えられる
　
（６）　「【００４４】
なお、本実施例は、上述した実施例の構成に限定されることはなく種々変更することが可能である
第一の変形例において、図９に示すように、
その表面情報が手指に伝達されるため
【００４５】また、
第二変形例として図１０に示すように、複数の触覚刺激素子５を刺激呈示部分に配置してもよい
　
（７）　「【００６３】
　
　・・・（中略）・・・
　
（構成１３）構成２の触覚呈示装置において、前記触覚刺激素子が前記入力信号発生装置からの信号に基づき機械的刺激を伝達する刺激伝達手段と、前記刺激伝達手段に接続され
人の指先にその機械的刺激を発生させる接触子
（作用）前記刺激伝達手段が前記入力信号発生装置からの信号に基づき、振動などの機械的な刺激を発生させて、その刺激を接触子を介して人の指先に伝達する。
（効果）
接触子を介して機械的刺激を指先に伝達するので
さらに直接手指が触れる接触子
（構成１４）構成１３の触覚呈示装置において、前記刺激伝達手段が
ボイスコイル
（作用）機械的刺激を発生する。
（効果）電気的に制御できて時間応答性もよく、
ＤＣ以上の広範囲の周波数での使用が可能である
（構成１５）構成１３の触覚呈示装置において、前記刺激伝達手段が
圧電アクチュエータまたは圧電素子
（作用）機械的刺激を発生する。
（効果）電気的に制御できて時間応答性もよく、構成のしかたによって刺激の方向を選ぶことができる。
（構成１６）構成１３の触覚呈示装置において、前記刺激伝達手段が
電気粘弾性アクチュエータまたは電気粘弾性素子
（作用）機械的刺激を発生する。
（効果）電気的に制御できて時間応答性もよく、
構成のしかたによって刺激の方向を選択、増加することができる
（構成１７）構成１３の触覚呈示装置において、前記刺激伝達手段が
磁気粘弾性アクチュエータまたは磁気粘弾性素子
（作用）機械的刺激を発生する。
（効果）電気的に制御できて時間応答性もよく、
構成のしかたによって刺激の方向を選択、増加することができる
（構成１８）構成１３の触覚呈示装置において、前記刺激伝達手段が
磁気ソレノイド
（作用）
機械的刺激を発生する
（効果）電気的に制御でき、
大きな発生力量を得ることができる
（構成１９）構成１３の触覚呈示装置において、前記刺激伝達手段が
磁歪アクチュエータまたは磁歪素子
（作用）機械的刺激を発生する。
（効果）電気的に制御できて時間応答性もよく、構成のしかたによって刺激の方向を選ぶことができる。
（構成２０）構成１３の触覚呈示装置において、前記刺激伝達手段が
ケモメカニカルゲルアクチュエータ
（作用）機械的刺激を発生することができる。
（効果）電気的、化学的に制御でき、
大きな変位量を得ることができる
　
　・・・（中略）・・・
　
（構成２２）
構成１記載の触覚呈示装置において、該触覚呈示装置が仮想空間内の対象物表面の凹凸パターン情報を作成する仮想表面情報作成手段と、
（作用）前記仮想表面情報作成手段と前記仮想表面走査手段からの出力に基づき、仮想対象物の触覚情報を前記仮想信号処理手段及び前記仮想制御信号発生手段によって人の触知覚特性に則って変換し、この信号を駆動信号として前記触覚刺激素子を皮膚表面に対して水平方向に機械的刺激を呈示する。
（効果）上記作用によって、実際に存在しない対象物に関して、その仮想的な触覚情報を作成、粗滑感や凹凸感などに対応するように所定の駆動信号に変換して、表面走査に対応したなぞり運動とともに人に伝達することにより、あたかも実際の対象物に触れているような感覚を与えることができる。・・・（以下略）」
　
（８）　「【００６６】
　
　・・・（中略）・・・
　
（構成３１）構成２２の触覚呈示装置において、前記触覚刺激素子が前記仮想制御信号発生装置からの信号に基づき機械的刺激を伝達する仮想刺激伝達手段と、前記仮想刺激伝達手段に接続され
人の指先にその機械的刺激を発生させる接触子
（作用）前記刺激伝達手段が前記入力信号発生装置からの信号に基づき、振動などの機械的な刺激を発生させて、その刺激を接触子を介して人の指先に伝達する。
（効果）
接触子を介して機械的刺激を指先に伝達するので
直接手指が触れる接触子の部分の小型化が容易である
（構成３２）構成３１の触覚呈示装置において、前記仮想刺激伝達手段が
ボイスコイル
（作用）機械的刺激を発生する。
（効果）電気的に制御できて時間的応答性もよく、
ＤＣ以上の広範囲の周波数での使用が可能である
（構成３３）構成３１の触覚呈示装置において、前記仮想刺激伝達手段が
圧電アクチュエータまたは圧電素子
（作用）機械的刺激を発生する。
（効果）電気的に制御できて時間的応答性もよく、構成のしかたによって刺激の方向を選ぶことができる。
（構成３４）構成３１の触覚呈示装置において、前記仮想刺激伝達手段が
電気粘弾性アクチュエータまたは電気粘弾性素子
（作用）機械的刺激を発生する。
（効果）電気的に制御できて時間的応答性もよく、
構成のしかたによって刺激の方向を選択、増加することができる
（構成３５）構成３１の触覚呈示装置において、前記仮想刺激伝達手段が
磁気粘弾性アクチュエータまたは磁気粘弾性素子
（作用）機械的刺激を発生する。
（効果）電気的に制御できて時間的応答性もよく、構成のしかたによって刺激の方向を選択、増加することができる。
（構成３６）構成３１の触覚呈示装置において、前記仮想刺激伝達手段が
電磁ソレノイド
（作用）
機械的刺激を発生する
（効果）電気的に制御でき、
大きな発生力量を得ることができる
（構成３７）構成３１の触覚呈示装置において、前記仮想刺激伝達手段が磁歪アクチュエータ又は磁歪素子であることを特徴とする触覚呈示装置。
（作用）機械的刺激を発生する。
（効果）電気的に制御できて時間応答性もよく、構成のしかたによって刺激の方向を選ぶことができる。
（構成３８）構成３１の触覚呈示装置において、前記仮想刺激伝達手段が
ケモメカニカルゲルアクチュエータ
（作用）機械的刺激を発生することができる。
（効果）電気的、化学的に制御でき、
大きな変位量を得ることができる
　
（９）　「【図面の簡単な説明】
　
　・・・（中略）・・・
　
【図１６】従来の触覚呈示装置の第１の例を説明するための図である。」
　
（１０）　図１６には、従来の触覚呈示装置の第１の例として、保持体５１内部の下半分には、滑動検出器５３を構成する、ロータリエンコーダ６１と球６２とが設けられていること、保持体５１内部の上半分には、外部の模擬触覚信号発生装置５４が接続されたソレノイド５５と、可動鉄心５７と、支点５８を備えたてこ５９とが設けられていること、さらに、てこ５９の一端には、呈示子５２ａが設けられること、可動鉄心５７上であって、かつ、てこ５９の支点５８から伸びる部材と交わる位置に、長孔６４とピン６３とが設けられること、保持体５１上面の一段高くなった部分の中央には、小孔６０が設けられること、その小孔６０内には、呈示子５２ａが設けられることが、それぞれ、記載されていると認定できる。
　
　これらの記載、及び、図面（特に図１６、及び、図１−図２、図５−図６、図９（ｂ）、図１０、図１７）から、引用例には、次の発明（以下、「引用発明」という。）が記載されている。
　
「人が対象物を認知、判断する場合に、その対象物に直接手指で触れることによって対象物表面の滑らかさや凹凸感を感じるような触覚情報を、人に伝達するための触覚呈示装置であって、
　人が保持体５１を動かし、その滑動に対応した信号を皮膚の一定の場所に時間的に振幅を変化させて呈示するために、
　操作者が支持面５６に沿って滑動させることのできる保持体５１の表面に呈示子５２ａを露呈させ、保持体５１の滑動に対応して対象物体の表面に触れたときに感じる触覚の時空間パターンに相当する信号を触覚呈示器５２に与え、呈示子５２ａにより模擬的に触覚刺激を呈示するものであって、
　保持体５１の内部には、模擬触覚信号発生装置５４が接続されたソレノイド５５と、その可動鉄心５７、てこ５９などが設けられ、てこ５９の一端には呈示子５２ａが設けられる触覚呈示装置。」
　
　
３．対比
　本願補正発明と引用発明とを対比する。
　
（１）　引用発明の触覚呈示装置における「保持体５１」は、その内部に、ソレノイド５５などの構成要素が設けられているから、触覚呈示装置における「ハウジング」といえる。
　また、保持体５１は、その名称のとおり、操作者が「保持」する物体であって、人が動かすものであり、具体的には、「操作者が支持面５６に沿って滑動させることのできる」ものであるから、「ユーザ接触領域」を備えると認められる。
　よって、引用発明の「保持体５１」は、本願補正発明の「ユーザ接触領域を備えるハウジング」に相当する。
　
（２）　引用発明における「呈示子５２ａ」は、「保持体５１の表面」に露呈させられて、操作者に対して「模擬的に触覚刺激を呈示する」ものであるから、保持体５１の表面における、操作者が接触する領域に取り付けられることは明らかであるから、本願補正発明の、「前記ユーザ接触領域に取り付けられる触覚部材」に相当する。
　
（３）　一般に、用語「ソレノイド」とは、「交流又は直流の励磁コイルにコイルに通電し、可動鉄心を動かすことによって、電磁エネルギーを機械的運動に変換するプランジャ型の電磁石」（ＪＩＳ工業用語大辞典【第５版】、財団法人日本規格協会、２００１年３月３０日、１２９５ページ左欄下から１４−１２行目）と記載されるように、電磁エネルギーを機械的運動に変換する手段であることが、技術常識である。
　よって、引用発明の「ソレノイド５５と可動鉄心５７」は、電磁エネルギーを機械的運動に変換する手段であるから、「アクチュエータ」といえる。
　
　引用発明において、電磁エネルギーを機械的運動に変換する「ソレノイド５５と可動鉄心５７」と、実際に利用者に触覚刺激を呈示するための「呈示子５２ａ」とが、相互に機械的に結合されていることは、明らかである。
　なお、より具体的には、「ソレノイド５５と可動鉄心５７」と「呈示子５２ａ」とが、相互に機械的に結合されている点は、図１６を参照すると、可動鉄心５７上に設けたピン６３が、てこ５９の長孔６４と結合することによって、ソレノイド５５（の励磁コイル）の吸引力に基づく、可動鉄心５７の水平方向の機械的運動が、支点５８を中心とする、てこ５９の回転運動に変換されるものであって、てこ５９の一端に設けられた呈示子５２ａも、ソレノイドの水平方向の機械的運動に応じて、ほぼ上下方向に機械的運動を行うと理解することができる。
　よって、引用発明の「ソレノイド５５と可動鉄心５７」は、てこ５９に「取り付けられ」ているといえるから、てこ５９と一体の「呈示子５２ａ」にも、「取り付けられ」ているといえる。
　
　引用発明の触覚呈示装置は、保持体５１の表面に呈示子５２ａを露呈させることによって、「対象物に直接手指で触れることによって」感じるような触覚情報を、人の「皮膚の一定の場所に」伝達するものであるから、「触覚部材に集中された触覚感」を出力するものと認められる。
　
　以上のことから、引用発明の「ソレノイド５５と可動鉄心５５」は、本願補正発明の「前記触覚部材に取り付けられ、前記触覚部材に集中された静的な触覚感を出力可能なアクチュエータ」と、「前記触覚部材に取り付けられ、前記触覚部材に集中された触覚感を出力可能なアクチュエータ」である点で一致する。
　
（４）　引用発明の「触覚呈示装置」は、電磁エネルギーを機械的運動に変換する「ソレノイド」や、滑動を検出するための「ロータリエンコーダ６１」などを備えるものであって、電子的な信号を送受信する機能を備える装置と認められるから、本願補正発明の「電子デバイス」に相当する。
　
　したがって、両者の一致点、相違点は以下のとおりである。
　
［一致点］
「ユーザ接触領域を備えるハウジング、
　前記ユーザ接触領域に取り付けられる触覚部材、および
　前記触覚部材に取り付けられ、前記触覚部材に集中された触覚感を出力可能なアクチュエータを具備する、
ことを特徴とする電子デバイス。」
である点。
　
［相違点１］
　アクチュエータの機能について、本願補正発明のアクチュエータは、「前記触覚部材に集中された
静的な
　
［相違点２］
　アクチュエータの構成について、本願補正発明のアクチュエータは、「前記アクチュエータが触覚感を高めるように構成された付加質量を有する」ものであるのに対して、引用発明では、アクチュエータに、触覚感を高めるように構成された付加質量を設けることは、記載がない点。
　
４．相違点についての判断
［相違点１］について
　本願の発明の詳細な説明によれば、「静的な」とは、触覚感が「一般的な動作環境における標準的な距離で他のものによって関知されないようにすること」を意味する（段落【００３６】）旨の定義が記載されるから、本願補正発明における「静的な」は、このような意味と理解できる。
　一般に、ユーザに対して情報を伝達する際に、情報を伝達すべきユーザ本人とは異なる、「他人」や「周囲の環境」に対する配慮や、伝達される情報の内容に応じた秘匿の必要性などを目的として、ユーザ本人以外に気付かれないように情報を伝達することは、周知技術である（原査定の拒絶の理由で引用された特開平１１−２７２３００号公報（段落【００４９】の「さらに、ＩＣレコーダ１は、その動作状態を
他人に気付かせることなく
他人に気付かれることなく
周囲の者も
周囲の環境を妨げて
　したがって、引用発明において、ユーザ本人以外への配慮などを考慮して、ユーザ本人以外に気付かれないように情報を伝達する「周知技術１」を採用することによって、アクチュエータを、「前記触覚部材に集中された
静的な触覚感を出力可能な
　
［相違点２］
　引用例の上記２（３）、２（７）、２（８）の記載のように、引用例には、引用発明を認定した箇所とは異なるものの、利用者に触覚を呈示する手段として、「磁気ソレノイド」と並列に、「ボイスコイル」や、「圧電アクチュエータまたは圧電素子」、「電気粘弾性アクチュエータまたは電気粘弾性素子」、「磁気粘弾性アクチュエータまたは磁気粘弾性素子」、「磁歪アクチュエータまたは磁歪素子」、「ケモメカニカルゲルアクチュエータ」などを例示する記載があり、触覚を呈示するための手段として、各種の手段が採用できることの示唆があると認定できる。
　また、引用例の上記２（７）、２（８）に、触覚を呈示するための手段として、各種の手段を採用することによる「効果」として、「
ＤＣ以上の広範囲の周波数での使用が可能である
大きな発生力量を得ることができる
大きな変位量を得ることができる
　一般に、触覚を強くすることなどのために、触覚を呈示する手段として、重りを付加したものを用いることは、周知技術である（特開平９−２６８５０号公報（段落【００８２】の「また、加震制御部２００で用いられる加震手段としては、直流モータと
偏心分銅
重り
低い周波数により励振する必要がある
環状重り３の質量を大きくすると、
共振周波数が小さくなり、かつ大きな振幅を生じさせることが可能となる
ソレノイドが通電することによる重りの衝撃力
  したがって、引用発明において、その用途に応じて、触覚情報の強さや周波数を最適化する目的で、アクチュエータとして、重りを付加したものを用いる「周知技術２」を採用することによって、「前記アクチュエータが触覚感を高めるように構成された付加質量を有する」構成とすることは、当業者が容易に推考し得ることである。
　
　そして、本願補正発明のように構成したことによる効果も引用発明及び周知技術から予測できる程度のものである。
　
５．むすび
　以上のとおり、本願補正発明は、引用発明、及び周知技術１、周知技術２に基づいて、当業者が容易に発明をすることができたものであるから、特許法第２９条第２項の規定により特許を受けることができない。
　
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１．本願発明
　平成２０年４月１８日付けの手続補正は上記のとおり却下されたので、本願の請求項１に係る発明は、平成１９年１２月１９日付手続補正書の特許請求の範囲の請求項１に記載された事項により特定されるとおりのものである。（以下、「本願発明」という。）
「ユーザ接触領域を備えるハウジング、
　前記ユーザ接触領域に取り付けられる触覚部材、および
　前記触覚部材に取り付けられ、前記触覚部材に集中された静的な触覚感を出力可能なアクチュエータを具備することを特徴とする電子デバイス。」
　
２．引用例
　引用例の記載については、上記「第２　２．」で述べたとおりである。
　
３．対比・判断
　本願発明は、前記「第２　１．」で検討した本願補正発明の「アクチュエータ」から、「前記アクチュエータが触覚感を高めるように構成された付加質量を有する」との限定を省いたものである。
　そうすると、本願発明の構成要件をすべて含み、さらに他の構成要件を付加したものに相当する本願補正発明が、上記「第２　４．」に記載したとおり、引用発明及び周知技術に基づいて、当業者が容易に発明をすることができたものであるから、本願発明も同様の理由により、引用発明及び周知技術に基づいて、当業者が容易に発明をすることができたものである。　
　
４．むすび
　以上のとおり、本願発明は、引用例に記載された発明及び周知技術に基づいて、当業者が容易に発明をすることができたものであるから、他の請求項について論及するまでもなく、本願は、特許法第２９条第２項の規定により特許を受けることができない。
　よって、結論のとおり審決する。